【手続補正書】
【提出日】令和1年9月3日(2019.9.3)
【手続補正１】
【補正対象書類名】特許請求の範囲
【補正対象項目名】全文
【補正方法】変更
【補正の内容】
【特許請求の範囲】
【請求項１】
送信機と、
１つ以上のデータレーンを含む通信チャネルを介して前記送信機に接続された受信機と、
を備えるシステムであって、
前記送信機は、
第１マルチビットシーケンスと、後に続く第２マルチビットシーケンスと、を含むトレーニングシーケンス指示であって、前記第１マルチビットシーケンス及び前記第２マルチビットシーケンスは互いに異なる極性を有しており、前記第１マルチビットシーケンスから前記第２マルチビットシーケンスへの遷移は、スーパーサイクルの中間点で生じる、トレーニングシーケンス指示を前記スーパーサイクル中に複数のビットとして送信することによって、非同期フィードバックトレーニングシーケンスを開始することと、
前記スーパーサイクルの終わりに、前記チャネルの第１レーンでテストパターンを送信することと、
を行うように構成されており、
前記受信機は、
前記トレーニングシーケンス指示を受信することと、
各スーパーサイクルの終わりに前記第１レーンの状態をサンプリングすることと、
２つの連続するテストの間に前記第１レーンで遷移が生じていると判別したことに応じて、各スーパーサイクルの終わりに前記第１レーンの状態をサンプリングし、前記第１レーンの状態が所定数のサンプルに対して変化していない場合に前記トレーニングシーケンス指示が検出されていると判別し、前記第１レーンの状態が前記所定数のサンプルの間に変化している場合に前記トレーニングシーケンス指示が検出されていないと判別することと、
前記トレーニングシーケンス指示を検出したことに応じて、前記テストパターンをキャプチャすることと、
前記テストパターンにおいてエラーが検出されたかどうかを示すエラー表示を、前記第１レーンを介して前記送信機に伝えることと、
を行うように構成されており、
前記送信機及び前記受信機の各々は、スーパーサイクルをカウントするためのスーパーサイクルカウンタを含み、単一のスーパーサイクルは、システムクロックのＮ（Ｎは整数である）クロックサイクルに対応する、
システム。
【請求項２】
前記送信機は、前記エラー表示を受信したことに応じて、エラーが検出されたことを前記エラー表示が示す場合に、前記第１レーンの遅延設定を変更するように構成されている、
請求項１のシステム。
【請求項３】
前記送信機は、スーパーサイクルをカウントするために第１システムクロックを使用し、前記受信機は、スーパーサイクルをカウントするために前記第１システムクロックとは異なる第２システムクロックを使用する、
請求項１のシステム。
【請求項４】
前記受信機は、前記トレーニングシーケンス指示を使用して前記スーパーサイクルを識別することによって、前記テストパターンのシーケンスをいつキャプチャするかを決定するように構成されている、
請求項１のシステム。
【請求項５】
前記エラー表示は単一のビットである、
請求項１のシステム。
【請求項６】
送信機と、
受信機と、
複数のデータレーンを含む通信チャネルと、を備える装置であって、
前記送信機は、
第１マルチビットシーケンスと、後に続く第２マルチビットシーケンスと、を含むトレーニングシーケンス指示であって、前記第１マルチビットシーケンス及び前記第２マルチビットシーケンスは互いに異なる極性を有しており、前記第１マルチビットシーケンスから前記第２マルチビットシーケンスへの遷移は、スーパーサイクルの中間点で生じる、トレーニングシーケンス指示を前記スーパーサイクル中に複数のビットとして送信することによって、非同期フィードバックトレーニングシーケンスを開始することと、
前記複数のレーンの各レーンでテストパターンを送信することと、
を行うように構成されており、
前記受信機は、
前記トレーニングシーケンス指示を受信することと、
２つの連続するテストの間に前記第１レーンで遷移が生じていると判別したことに応じて、各スーパーサイクルの終わりに前記第１レーンの状態をサンプリングし、前記第１レーンの状態が所定数のサンプルに対して変化していない場合に前記トレーニングシーケンス指示が検出されていると判別し、前記第１レーンの状態が前記所定数のサンプルの間に変化している場合に前記トレーニングシーケンス指示が検出されていないと判別することと、
前記トレーニングシーケンス指示を検出したことに応じて、前記テストパターンをキャプチャすることと、
前記テストパターンにおいてエラーが検出されたかどうかを示すエラー表示を、前記第１レーンｗ介して前記送信機に伝えることと、
を行うように構成されており、
前記送信機及び前記受信機の各々は、スーパーサイクルをカウントするためのスーパーサイクルカウンタを含み、単一のスーパーサイクルは、システムクロックのＮ（Ｎは１より大きい整数である）クロックサイクルに対応する、
装置。
【請求項７】
前記送信機は、
前記複数のレーンの各々の回路を含む個別の遅延ユニットと、
前記複数のレーンのレーンのグループに単一の遅延設定を適用するように構成された単一の遅延ユニットと、を備える、
請求項６の装置。
【請求項８】
前記送信機は、スーパーサイクルをカウントするために第１システムクロックを使用し、前記受信機は、スーパーサイクルをカウントするために前記第１システムクロックとは異なる第２システムクロックを使用する、
請求項６の装置。
【請求項９】
前記受信機は、前記トレーニングシーケンス指示を使用して前記スーパーサイクルを識別することによって、前記テストパターンのシーケンスをいつキャプチャするかを決定するように構成されている、
請求項６の装置。
【請求項１０】
前記エラー表示は単一のビットである、
請求項６の装置。
【請求項１１】
送信機によって、第１マルチビットシーケンスと、後に続く第２マルチビットシーケンスと、を含むトレーニングシーケンス指示であって、前記第１マルチビットシーケンス及び前記第２マルチビットシーケンスは互いに異なる極性を有しており、前記第１マルチビットシーケンスから前記第２マルチビットシーケンスへの遷移は、スーパーサイクルの中間点で生じる、トレーニングシーケンス指示を前記スーパーサイクル中に複数のビットとして送信することによって、非同期フィードバックトレーニングシーケンスを開始することと、
チャネルの第１レーンで、テストパターンを受信機に送信することと、
前記受信機によって、前記トレーニングシーケンス指示を受信することと、
各スーパーサイクルの終わりに前記第１レーンの状態をサンプリングすることと、
２つの連続するテストの間に前記第１レーンで遷移が生じていると判別したことに応じて、各スーパーサイクルの終わりに前記第１レーンの状態をサンプリングすることと、前記第１レーンの状態が所定数のサンプルに対して変化していない場合に前記トレーニングシーケンス指示が検出されていると判別することと、前記第１レーンの状態が前記所定数のサンプルの間に変化している場合に前記トレーニングシーケンス指示が検出されていないと判別することと、
前記トレーニングシーケンス指示を検出したことに応じて、前記テストパターンをキャプチャすることと、
前記テストパターンにおいてエラーが検出されたかどうかを示すエラー表示を、前記第１レーンを介して前記送信機に伝えることと、を含み、
前記送信機及び前記受信機の各々は、スーパーサイクルをカウントするためのスーパーサイクルカウンタを含み、単一のスーパーサイクルは、システムクロックのＮ（Ｎは１より大きい整数である）クロックサイクルに対応する、
方法。
【請求項１２】
前記エラー表示を受信したことに応じて、エラーが検出されたことを前記エラー表示が示す場合に、前記第１レーンの遅延設定を変更することを含む、
請求項１１の方法。
【請求項１３】
前記送信機が、スーパーサイクルをカウントするために第１システムクロックを使用することと、前記受信機が、スーパーサイクルをカウントするために前記第１システムクロックとは異なる第２システムクロックを使用することと、を含む、
請求項１１の方法。
【請求項１４】
前記トレーニングシーケンス指示を使用して前記スーパーサイクルを識別することによって、前記テストパターンのシーケンスをいつキャプチャするかを決定することを含む、
請求項１１の方法。